(57)【要約】【課題】本発明は、ＩＣチップが搭載されたＩＣカードおよび非ＰＣ系モバイル端末等に関し、利用者ごとにＩＣチップに格納された、または格納可能なアプリケーションを、アプリケーション識別子を利用し利用者端末の画面上にアイコンとして視覚的に表示を行い、確認、処理等の利便性向上を図ることを目的とする。【解決手段】ＩＣカードサービス取次事業者２０は、アプリケーション提供者３０から提供されるアイコンデータを複数のアプリケーションを格納可能なＩＣチップを搭載したマルチアプリケーションＩＣカードに付番されたアプリケーション識別子と関連付けることにより、ＩＣカード１３に既に格納されたアプリケーション、もしくは新たに提供しようとするアプリケーションを利用者端末１１の画面上に、ＩＣカードサービス取次事業者側端末において処理した結果、アイコンとしてわかりやすく表示させる。【選択図】　　図１
2004110759.tif 000002
【特許請求の範囲】
【請求項１】
利用者が利用する複数のアプリケーションを実行できるマルチアプリケーションＩＣカードないし当該ＩＣチップを内蔵した非ＰＣ系モバイル端末等１３（以下ＩＣカードと記する）内に格納したアプリケーションないし新たに格納可能なアプリケーションを、ＰＣ等の利用者端末において表示される画面上にアイコンによって視覚的に表示することを可能とするシステムであって、ＩＣカードサービス取次事業者側端末には、通信回線を通じてまたはデータ送付等の別の方法によりアプリケーション提供者から提供されたアプリケーションが格納され、また通信回線を通じてまたはデータ送付等の別の方法により同時に当該アプリケーションとともに開示される当該アプリケーションの識別子を、個別のアプリケーション毎の利用者端末の表示画面用アイコンデータ等と関連付け格納し、利用者の利用するＩＣカードに格納された個人認証情報をＩＣカード読み取り書き込み端末により読み取り、利用者端末を通じてＩＣカードサービス取次事業者側端末に格納された個人情報と照合することにより、また必要な場合はパスワード等を付随的に用いることにより、利用者がＩＣカード利用者であることを識別した上で、利用者が認証されると、ＩＣカードサービス取次事業者側端末では、格納された個人情報テーブル、更新履歴テーブルから、利用者のＩＣカードに現在格納されている、もしくは過去に格納されたことのあるアプリケーションを検出し、当該アプリケーション識別子データをもとに、アプリケーション情報テーブルと照合を行い、またはＩＣカードサービス取次事業者側端末に属するアプリケーションのうち、ＩＣカードの書き込み領域の余地、追加更新必要性などから選択した当該ＩＣカードへ新たに書き込み可能なアプリケーションをアプリケーション情報テーブルより判別し、アプリケーション情報テーブルよりそれぞれのアプリケーションに対応するアイコンデータを抽出し、利用者のＩＣカードがＩＣカード読み取り書き込み端末に設置され、ＩＣカード読み取り書き込み端末と通信回線により接続されたＰＣ等の利用者端末を通じて利用者のＩＣカード内のアプリケーション等に関する情報の表示要求があった場合に、ＩＣカード内に既に格納されたアプリケーションないし新たに格納され得るアプリケーションを、アイコンを通じて利用者端末の画面上に視覚的に表示するシステム。尚この場合のＩＣカードは、非ＰＣ系モバイル端末事業者が発行するＩＣチップを搭載したデバイスにも応用が可能である。また、上記ではアプリケーション、アプリケーション情報は、ＩＣカードサービス取次事業者側端末から引き出したが、利用者からの画面表示要求の都度、アプリケーション提供者側端末に格納されたデータを通信回線を通じて取り込むシステムとすることで前記を実現することも可能である。
【請求項２】
ＩＣカードサービス取次事業者側端末は、複数のアプリケーション提供者の保有する複数のアプリケーションに対して、各々のアプリケーション識別子を種別、更新日時等のデータと関連付け格納することにより、利用者により任意に選択された複数のグルーピング方法によるアイコンの表示を実現するシステム。
【請求項３】
ＩＣカードとＩＣカードサービス取次事業者側端末間で個人認証情報、個人情報、パスワード等を利用し個人認証を行うことにより利用者が不特定地点で、不特定端末を利用した場合においても、ＩＣカードを利用する個人についてカード利用者であるという本人確認をすることにより個人のＩＣカードに格納されたアプリケーション情報、ＩＣカード利用、更新履歴等の表示を可能とするシステム。
【請求項４】
利用者がＰＣ等の利用者端末の画面上に表示された当該アイコンを選択した場合、アプリケーション提供者が情報閲覧許可に一定要件を規定する場合は当該利用者が閲覧要件を満たした利用者であることを確認した上で、アプリケーション提供者側端末から通信回線を通じＩＣカードサービス取次事業者側端末に送信され格納されたアプリケーション情報テーブル内のアプリ関連情報を引き出し、あるいはアプリケーション提供者側端末に格納された当該アプリケーション関連情報を表示するよう処理を行うことより、当該アプリケーションに関連する情報を利用者端末の画面上に表示するシステム。
【請求項５】
当該ＩＣカードサービス取次事業者が、他の同様なサービスを実施するＩＣカードサービス取次事業者と提携した場合、双方の端末を通信回線により接続し個人情報、アプリケーション情報等を相互に通信することにより他ＩＣカードサービス取次事業者側端末による処理の結果、当該利用者端末の画面上に、アイコン、アプリケーション関連情報の表示を実現するシステム。
【請求項６】
前記ではＩＣカードに格納された個人認証情報とＩＣカードサービス取次事業者側端末内の個人情報テーブルを照合し個人認証した上で、ＩＣカードサービス取次事業者側端末内のアプリケーション情報テーブル、更新履歴テーブルに格納された、利用者のＩＣカードに格納されたそれぞれのアプリケーション識別子データを用いてアイコン表示を実現したが、ＩＣカードに格納するアプリケーション識別子情報の取得方法について、利用者のＩＣカードに格納されたアプリケーション識別子を読み取り、当該アプリケーション識別子をもとにＩＣカードサービス取次事業者側端末内の各種テーブルと連携させる方法により、前記を実現することも可能であるシステム。
【発明の詳細な説明】
【０００１】
【発明の属する技術分野】本発明は、ＩＣチップへ格納されたアプリケーションもしくは格納可能なアプリケーションの識別子を利用した利用者端末の画面上へのアイコン表示システムに関する。
【０００２】
【従来の技術】今日の社会では、クレジットカードに代表される磁気テープを備えたカードのほか、各事業者から配布されるポイントカード、カード型会員券など、様々なカードが広く普及している。中でもＩＣチップを搭載し、メモリ機能、演算処理機能等を備えたＩＣカードの開発の進展により、接触型、非接触型ＩＣカードによる交通乗車券利用、ＩＣチップを搭載した携帯電話端末による電子マネーの実証実験など、ＩＣカードを利用した様々なサービスが開始されている。一方で各個人がインターネットを利用し情報の送受信や商取引を行うケースが増加しており、オンラインでＩＣカードの機能を活用したサービスが普及し始めている。利用機会の増大に伴い１枚のＩＣカードに複数のアプリケーションを格納するマルチアプリケーションＩＣカードの実用化に加え、ＩＣチップ内に格納されたアプリケーションの書き換え・削除等が可能なＩＣカードの実用化が迫りつつあり、この流れの中、従来は、利用者ＩＣカードのＩＣチップ内のアプリケーション格納状況・利用履歴等のデータを確認する場合、カード発行事業者側では事業者側データベース端末等において個人情報とアプリケーション更新履歴情報等をテキストベース等で確認することができるが、個人利用者はその内容を自ら確認する手段がない状況である。
【０００３】
【発明が解決しようとする課題】このように、利用者または事業者はＩＣカード内に格納されたアプリケーション等内部のデータ状態が視覚的に確認できないため、利用者または事業者がＩＣカードをより効果的に利用するためにもチップに格納されたアプリケーション、または格納可能なアプリケーションの種別を簡単に確認できるシステムが期待されている。
【０００４】本発明の目的は、利用者の利用するＩＣカード内に格納されたアプリケーションないし新たに格納する可能性のあるアプリケーションを利用者端末の画面上にアイコンで表示し、またアイコンを当該アプリケーションの種別等によりグルーピングし、視覚的に表示するシステムの提供により利用者または事業者の利便性を向上することにある。
【０００５】
【課題を解決するための手段】本発明のシステムは、利用者が利用する複数のアプリケーションを実行できるマルチアプリケーションＩＣカード内に格納したアプリケーションないし新たに格納可能なアプリケーションを、ＰＣ等の利用者端末の画面上にアイコンによって視覚的に表示することを可能とする。
【０００６】請求項１の発明では、ＩＣカードサービス取次事業者側端末には、通信回線を通じてまたはデータ送付等の別の方法によりアプリケーション提供者から提供されたアプリケーションが格納され、また通信回線を通じてまたはデータ送付等の別の方法により同時に当該アプリケーションとともに開示される当該アプリケーションの識別子と、個別のアプリケーション毎の利用者端末表示画面用アイコンデータ等とを、ＩＣカードサービス取次事業者側端末内のアプリ情報テーブルにおいて関連付けて格納しておく。
【０００７】利用者のＩＣカードがＩＣカード読み取り書き込み端末に設置され、ＩＣカード読み取り書き込み端末と通信回線により接続されたＰＣ等の利用者端末を通じて、利用者のＩＣカード内のアプリケーション等に関する情報の表示要求があった場合に、利用者のＩＣカードに格納された個人認証情報をＩＣカード読み取り書き込み端末により読み取り、当該端末と通信回線により接続された利用者端末を通じてＩＣカードサービス取次事業者側端末に格納された個人情報と照合することにより、また必要な場合はパスワード等を付随的に用いることにより、利用者がＩＣカード利用者であることを識別する。
【０００８】利用者が認証されると、ＩＣカードサービス取次事業者側端末内では個人情報テーブル、更新履歴テーブルから現在利用者のＩＣカードに格納されている、もしくは過去に格納されたことのあるアプリケーションを検出し、当該アプリケーションの識別子をもとに、アプリケーション情報テーブルと照合を行い、またはＩＣカードサービス取次事業者端末に属するアプリケーションのうち、ＩＣカードの書き込み領域の余地、追加更新の必要性などから選択した当該ＩＣカードへ新たに書き込み可能なアプリケーションをアプリケーション情報テーブルより判別し、アプリケーション情報テーブルよりそれぞれのアプケーションに対応するアイコンデータを抽出し、利用者端末の画面上に視覚的にアイコンを表示する。
【０００９】尚この場合のＩＣカードは、非ＰＣ系モバイル端末事業者が発行するＩＣチップを搭載したデバイスにも応用が可能である。また、上記ではアプリケーション、アプリケーション情報は、ＩＣカードサービス取次事業者側端末から引き出したが、利用者からの画面表示要求の都度、アプリケーション提供者側端末に格納されたデータを通信回線を通じて取り込むシステムとすることで前記を実現することも可能である。
【００１０】請求項２の発明では、ＩＣカードサービス取次事業者側端末は、端末内のアプリケーション情報テーブル、更新履歴テーブル、個人情報テーブルにおいて複数のアプリケーション提供者の保有する複数のアプリケーションに対して、各々のアプリケーションの識別子、種別、更新日時等のデータと関連付け格納することにより、利用者により任意に選択された複数のグルーピング方法によるアイコンの表示を実現する。
【００１１】請求項３の発明では、ＩＣカードに格納された個人認証情報、アプリケーション識別子と、ＩＣカードサービス取次事業者側端末の個人情報テーブル、更新履歴テーブル、アプリケーション情報テーブルを利用し、また必要に応じてパスワード等を付随的に利用し照合を行い、個人認証を行うことにより利用者が不特定地点、不特定端末を利用した場合においてもＩＣカードを利用する個人についてカード利用者であるという本人確認をすることにより個人のＩＣカードに格納されたアプリケーション情報、ＩＣカード利用、更新履歴等の利用者端末の画面上への表示を可能とする。
【００１２】請求項４の発明では、利用者がＰＣ等の利用者端末の画面上に表示された当該アイコンを選択した場合、アプリケーション提供者が情報閲覧許可に一定要件を規定する場合は、ＩＣカードサービス取次事業者側端末内の個人情報テーブルを参照し当該利用者が閲覧要件を満たした利用者であることを確認した上で、アプリケーション提供者側端末から通信回線を通じＩＣカードサービス取次事業者側端末に送信され格納されたアプリケーション情報テーブル内のアプリケーション関連情報を引き出し、あるいはアプリケーション提供者側端末に格納された当該アプリケーション関連情報を表示するよう処理を行うことにより、当該アプリケーションに関連する情報を利用者端末の画面上に表示する。
【００１３】請求項５の発明では、当該ＩＣカードサービス取次事業者が、他の同様なサービスを実施するＩＣカードサービス取次事業者と提携した場合、双方の端末を通信回線により接続し個人情報、アプリケーション情報等を相互に通信することにより他ＩＣカードサービス取次事業者側端末における処理の結果、当該利用者端末の画面上にアイコン、アプリケーション関連情報の表示を実現する。
【００１４】請求項６の発明では、前記ではＩＣカードに格納された個人認証情報とＩＣカードサービス取次事業者側端末内の個人情報テーブルを照合し個人認証した上で、ＩＣカードサービス取次事業者側端末内のアプリケーション情報テーブル、更新履歴テーブルに格納された、利用者のＩＣカードに格納されたそれぞれのアプリケーションの識別子データを用いてアイコン表示を実現したが、ＩＣカードに格納するアプリケーションの識別子情報の取得方法について、利用者のＩＣカードに格納されたアプリケーション識別子を読み取り、当該アプリケーション識別子をもとにＩＣカードサービス取次事業者側端末内の各種テーブルと連携させる方法により、前記を実現することも可能である。
【００１５】
【発明の実施の形態】以下、図面を参照して説明する。
まず本発明のシステムの構成を説明する。
図１における利用者１０では、複数のアプリケーションを格納可能なＩＣチップを搭載したマルチアプリケーションＩＣカード１３と、ＩＣカード１３の読み取り書き込み端末１２と、利用者が利用するＰＣ等の利用者端末１１を備え、ＩＣカード読み取り書き込み端末１２は利用者端末１１と通信回線００により接続されている。利用者端末１１はインターネットを含む通信回線００を経由しＩＣカードサービス取次事業者２０の保有するＩＣカードサービス取次事業者側端末２１と接続されている。ＩＣカードサービス取次事業者側端末２１は、通信回線００によりアプリケーション提供者３０のアプリケーション提供者側端末３１に接続されている。
【００１６】利用者１０の利用するＩＣカード１３には、個人認証情報とアプリケーションが搭載されており、それぞれのアプリケーションにはアプリケーション識別子が付番されている。
【００１７】アプリケーション提供者側端末３１は、アプリケーション３３とともに、当該アプリケーションのバージョン情報、利用方法などの関連情報を蓄積するアプリケーション関連情報データベース３２も有する。このときアプリケーション提供者３０ないし当該アプリケーション提供者３０の保有するアプリケーションは複数であってもよい。
【００１８】ＩＣカードサービス取次事業者側端末２１は、あらかじめアプリケーション提供者３０より提供され、随時情報更新等が為されるアプリケーション２５と、アプリケーション識別子データ、アプリケーション提供者名、アプリケーション名、アイコンデータ、アプリケーション種別、アプリケーション関連情報等を含むアプリケーション情報テーブル２２を格納する。このとき、アプリケーション２５ないしアプリケーション情報テーブル２２中のアプリケーション関連情報については、アプリケーション事業者側端末３１内に格納されたアプリケーション３３もしくはアプリケーション関連情報テーブル３２の該当サイトへのリンクにて対応してもよい。また、その他にＩＣカードサービス取次事業者側端末２１には、利用者１０のＩＣカード１３と個人認証を行うための個人情報テーブル２４、また利用者１０の過去のアプリケーション更新履歴が蓄積された更新履歴テーブル２３が格納されている。
【００１９】尚、前記のＩＣカード１３は同機能を備えたＩＣチップを搭載したＰＤＡ、携帯電話等のデバイスであってもよく、ＩＣカード読み取り書き込み端末１２も同様に当該デバイスに対応したものであればよい。また、通信回線００は通信ネットワークであってもよい。
【００２０】次に、本発明の仕組みを説明する。
利用者１０がＩＣカード１３をＩＣカード読み取り書き込み端末１２に設置することによりＩＣカード１３内に搭載された個人認証情報が読み取られ、通信回線００を通じて利用者端末１１から、インターネットを含む通信回線００を経由しＩＣカードサービス取次事業者側端末２１内の個人情報テーブル２４と照合され利用者を認証されると、Ｉ、Ｃカードサービス取次事業者側端末２１内の個人情報テーブル２４、更新履歴テーブル２３から現在利用者のＩＣカード１３に格納されている、もしくは過去に格納されたことのあるアプリケーションを検出し、当該アプリケーションの識別子データをもとに、アプリケーション情報テーブル２２と照合を行い、またはＩＣカードサービス取次事業者端末２１に属するアプリケーションのうち、ＩＣカード１３の書き込み領域の余地、追加更新の必要性などから選択した当該ＩＣカード１３へ新たに書き込み可能なアプリケーションをアプリケーション情報テーブル２２より判別し、アプリケーション情報テーブル２２よりそれぞれのアプケーションに対応するアイコンデータを抽出し、利用者端末１１の画面上に視覚的にアイコンを表示する。この場合、ＩＣカードに格納された個人認証情報とＩＣカードサービス取次事業者側端末内の個人情報テーブルを照合し個人認証した上で、ＩＣカードサービス取次事業者側端末内のアプリケーション情報テーブル、更新履歴テーブルに格納された、利用者のＩＣカードに格納されたそれぞれのアプリケーション識別子を用いてアイコン表示を実現したが、ＩＣカードに格納するアプリケーション識別子情報の取得方法について、利用者のＩＣカードに格納されたアプリケーション識別子を読み取り、当該アプリケーション識別子をもとにＩＣカードサービス取次事業者側端末内の各種テーブルと連携させる方法により、前記を実現することも可能である。
【００２１】選出されたアイコンは、利用者の任意により設定されたグルーピングにより、利用者端末１１の画面上で適当な箇所に表示される。表示グループは利用者１０が、例えばアプリケーション提供者別グルーピング、サービス種別グルーピング等の別グルーピング方法を選択することにより、ＩＣカードサービス取次事業者側端末内の各種テーブルの該当する情報を用いて別グルーピングで表示することもできる。
【００２２】また、前記のごとく利用者１０がＩＣカード１３をＩＣカード読み取り書き込み端末１２に設置することによりＩＣカード１３から読み取られた個人認証情報を、通信回線００を通じて利用者端末１１から、インターネットを含む通信回線００を経由しＩＣカードサービス取次事業者側端末２１内に格納された更新履歴テーブル２３と照合させることにより、利用者１０の過去のアプリケーション更新・追加・削除履歴を検出し、一覧表示することができる。
【００２３】このようにして利用者端末１１の画面上に表示されたアイコンを、利用者１０がダブルクリック等の方法により選択すると、利用者端末１０で選択されたアイコンに対応するアプリケーションの識別子データが、通信回線００を通じてＩＣカードサービス取次事業者側端末２１内に格納されたアプリケーション情報テーブル２２のアプリケーション識別子データと照合され、それに対応するアプリケーション関連情報データを呼び出し、または通信回線００を通じてアプリケーション提供者側端末３１内のアプリケーション関連情報テーブル３２に格納された当該データにより処理を行った結果、当該アプリケーション関連情報が利用者端末１１の画面上で表示される。
【００２４】また、利用者１０が他ＩＣカードサービス取次事業者の取り扱うアプリケーションをＩＣカード１３に格納していた場合、あらかじめ他ＩＣカードサービス取次事業者と提携し、通信回線によりＩＣカードサービス取次事業者側端末間を接続することにより、相互に情報を引き出し合うことで、同様にして利用者端末１１にアイコンやアプリケーション関連情報を表示することができる。利用者１０が、当該ＩＣカードサービス取次事業者２０と提携関係にない他ＩＣカードサービス取次事業者の取り扱うアプリケーションを格納していた場合などでＩＣカード１３に格納されているアプリケーションを識別できない場合は、あらかじめアプリケーション情報テーブル２２内に用意した識別不能アプリケーション用のアイコンを適用し表示を行う。
【００２５】次に具体的なサービスイメージについて実施例を用いて説明する。利用者１０は、ＩＣカードサービス取次事業者２０の運営するポータルサイトと提携したＩＣカード１３を利用し、当該ポータルサイトを通じてアプリケーションの追加や更新等を行っている。利用者１０はＩＣカード１３内にＡリゾート会社のゴルフ会員権というアプリケーションを格納しており、利用者端末１１の画面上でサービス種別グルーピングにより表示しリゾート関連アプリケーショングループからＡリゾート会社のゴルフ会員権アプリケーションの関連情報を確認したい場合、利用者１０が、利用するＩＣカード１３をＰＣ等の利用者端末１１と通信回線００により接続されたＩＣカード読み取り書き込み端末１２に設置すると、当該ＩＣカード読み取り書き込み端末１２により読み取られた個人認証情報が、利用者端末１１から通信回線００を通じてＩＣカードサービス取次事業者側端末２１内の個人情報テーブル２４と照合され利用者が認証される。利用者が認証されるとＩＣカードサービス取次事業者側端末２１内の個人情報テーブル２４、更新履歴テーブル２３より利用者が格納したアプリケーションの識別子を識別し、さらにアプリケーション情報テーブル２２より当該アプリケーションに対応するアイコンが検出される。または、前記のように、利用者１０のＩＣカード１３に格納されたアプリケーション識別子を、ＩＣカードサービス取次事業者側端末２１に格納されたアプリケーション情報テーブル２２内のアプリケーション識別子データと照合することにより、ＩＣカードに格納されたアプリケーションを識別してもよい。また、アプリケーション情報テーブル２２ではアプリケーション種別情報を参照して、「リゾート」、「金融」などにグルーピングを行う。Ａリゾート会社のゴルフ会員権アプリケーションは、ＩＣカードサービス取次事業者側端末２１で識別された「リゾート」種別に属し、利用者端末１１の画面上において「リゾート」種別に対応する箇所にグルーピング表示される。
【００２６】利用者１０が、利用者端末１１の画面上に表示された、関連情報を希望するＡリゾート会社のゴルフ会員権アプリケーションに対応するアイコンを、ダブルクリック等の手段により選択すると、当該ゴルフ会員権アプリケーションのアプリケーション識別子データが識別され、ＩＣカードサービス取次事業者側端末２１内に格納されたアプリケーション情報テーブル２２内のアプリケーション識別子データと照合されると、アプリケーション識別子をもとにあらかじめ格納されたゴルフ会員権アプリケーション情報もしくは通信回線００を通じてＡリゾート会社側端末内のアプリケーション関連情報テーブル３２に格納されたゴルフ会員権に関する、または利用者１０に関するゴルフ会員権データをもとに処理を行った結果、当該ゴルフ会員権アプリケーション関連情報を利用者端末１１の画面上に表示する。
【００２７】
【発明の効果】以上説明したような仕組みにより、本発明のシステムでは以下のような効果が期待できる。
利用者１０にとっては、従来確認ができなかった、ＩＣカード内に格納されたアプリケーションが、利用者端末画面上にアイコンで表示されることにより、またアイコンはアプリケーションの属性等によりグルーピング表示が行われることで、視覚的にわかりやすく表示されるため利便性が向上する。更に利用者端末画面上には新たにＩＣカードに格納する可能性のあるアプリケーションもアイコン表示され、また過去のＩＣカード利用履歴を確認することも可能になり、ＩＣカードの主体的な利用が容易になる。
【図面の簡単な説明】
【図１】は本発明のＩＣカードアプリケーションの利用者端末１１へのアイコン表
示システムの模式的構成図である。
【図２】はＩＣカードサービス取次事業者２０の保有するＩＣカードサービス取次
事業者側端末２１に格納されているアプリケーション情報テーブル２２の模式図である。
【図３】はＩＣカードサービス取次事業者２０の保有するＩＣカードサービス取次
事業者側端末２１に格納されている更新履歴テーブル２３の模式図である。
【図４】はＩＣカードサービス取次事業者２０の保有するＩＣカードサービス取次
事業者側端末２１に格納されている個人情報テーブル２４の模式図である。
【図５】は本発明において利用者端末１１の画面上に表示される画面の概念図であ
る。
【符号の説明】
００　通信回線
１０　利用者
１１　利用者端末
１２　マルチアプリケーションＩＣカード読み取り書き込み端末
１３　マルチアプリケーションＩＣカード
２０　ＩＣカードサービス取次事業者
２１　ＩＣカードサービス取次事業者側端末
２２　アプリケーション情報テーブル
２３　更新履歴テーブル
２４　個人情報テーブル
２５　アプリケーションデータ
３０　アプリケーション提供事業者
３１　アプリケーション提供者側端末
３２　アプリケーション関連情報テーブル
３３　アプリケーションデータ
【図１】
2004110759.tif 000003
【図２】
2004110759.tif 000004
【図３】
2004110759.tif 000005
【図４】
2004110759.tif 000006
【図５】
2004110759.tif 000007